(57)【要約】【課題】  紙幣束のプッシャからの押出時における抵抗を低減するとともに、結束テープの結束力を高めることができるようにする。【解決手段】  所定枚数集積された集積紙葉類Ｐをプッシャ５１により所定方向に押圧して湾曲させる湾曲手段と、この湾曲手段により湾曲された集積紙葉類Ｐにその湾曲方向に沿って結束テープ３６を掛け渡して結束する結束部３０と、この結束部３０による結束後、プッシャ５１を反押圧方向に所定距離移動させる昇降機構５５と、この昇降機構５５によりプッシャ５１が所定距離移動された後、結束された紙幣束Ｓを押し出すシュータ５３とを具備する。【選択図】      図３
2005346155.tif 000002
【特許請求の範囲】
【請求項１】
所定枚数集積された集積紙葉類を押圧部材により所定方向に押圧して湾曲させる湾曲手段と、
この湾曲手段により湾曲された集積紙葉類に結束材を掛け渡して結束する結束手段と、
この結束手段による結束後、前記押圧部材を反押圧方向に所定距離移動させる移動手段と、
この移動手段により前記押圧部材が所定距離移動された後、前記結束された紙葉類を押し出す押出手段と
を具備することを特徴とする紙葉類処理装置。
【請求項２】
前記押圧部材は前記集積紙葉類の略中央部を下方に向かって押圧することを特徴とする請求項１記載の紙葉類処理装置。
【請求項３】
前記押出手段は、前記結束された紙葉類の端面部を押圧して押し出すことを特徴とする請求項１記載の紙葉類処理装置。
【請求項４】
前記押出手段により押出される紙葉類束を収納する収納部を備えることを特徴とする請求項１記載の紙葉類処理装置。
【請求項５】
前記紙葉類は紙幣であることを特徴とする請求項１乃至４のいずれか一項に記載の紙葉類処理装置。
【発明の詳細な説明】
【技術分野】
【０００１】
本発明は、例えば、紙幣をその金種などに応じて区分集積し、或いは、紙幣を所定枚数ずつ結束する紙葉類処理装置に関する。
【背景技術】
【０００２】
この種の紙葉類処理装置には、投入部としての載置部に紙幣を複数枚積層状態で投入させてセットし、このセットされた紙幣を一枚ずつ取込んで搬送し、その金種、真偽、表裏の向きなどを鑑査部で判別し、この判別結果に基づいて紙幣を複数の集積部に区分集積し、或いは、鑑査した紙幣を結束部に搬送して所定枚数ずつ集積し、この集積した紙幣を結束材で結束処理するものがある（例えば、特許文献１参照。）。
【０００３】
ところで、集積紙幣を結束する場合には、集積紙幣の上面略中央部をプッシャによって押し下げて湾曲させた状態にしてから結束材を湾曲方向に沿って掛け渡して結束している。そして、この結束された紙幣束は、シュータにより押し出されて収納部に放出される。
【０００４】
集積紙幣を湾曲させた状態にして結束するのは、結束材の結束力を強めるためである。即ち、結束後、紙幣束がシュータによりプッシャから押し出されたのち、その復帰力により元の状態に戻ることにより結束材に張りを持たせて結束力を強める。これにより、紙幣束を収納部内に型くずれすることなく、放出できるようにしている。
【特許文献１】特開平８−２３５４０６号公報
【発明の開示】
【発明が解決しようとする課題】
【０００５】
しかしながら、従来においては、紙幣束をシュータによりプッシャから押し出す際には、プッシャの押付力をそのままの強さで維持していたため、紙幣束の押出時における抵抗が大きく、紙幣束をスムーズにプッシャから送り出すことができないという問題があった。
【０００６】
また、紙幣束は湾曲された状態のまま、即ち、結束材に張りを持たせない状態でプッシャから押し出されるため、この押出時において荷崩れを起こし易いという問題があった。
【０００７】
本発明は上記事情に着目してなされたもので、その目的とするところは、結束後の紙葉類束の押出時には、紙葉類束を押圧する押圧部材を反押圧方向に所定距離移動させることにより、紙葉類束の押出時における抵抗を低減するとともに、結束材の結束力を高めることができるようにした紙葉類処理装置を提供することにある。
【課題を解決するための手段】
【０００８】
上記課題を解決するため、請求項１記載の発明は、所定枚数集積された集積紙葉類を押圧部材により所定方向に押圧して湾曲させる湾曲手段と、この湾曲手段により湾曲された集積紙葉類にその湾曲方向に沿って結束材を掛け渡して結束する結束手段と、この結束手段による結束後、前記押圧部材を反押圧方向に所定距離移動させる移動手段と、この移動手段により前記押圧部材が所定距離移動された後、前記結束された紙葉類を押し出す押出手段とを具備することを特徴とする。
【発明の効果】
【０００９】
本発明によれば、紙葉類束のスムーズな放出、及びその放出時における荷崩れを防止できる。
【発明を実施するための最良の形態】
【００１０】
以下、本発明を図面に示す実施の形態を参照して詳細に説明する。  
図１は本発明の一実施の形態である紙葉類処理装置としての紙幣整理機の外観を示すものである。
【００１１】
図１中１は装置本体で、この装置本体１の利用者が対面するフロント側の一側部側には紙葉類としての紙幣Ｐを各金種混合状態で投入させて載置する投入部としての載置部２が設けられている。この載置部２に載置された紙幣Ｐはその下部側のものから後述する取込ローラにより取込まれるようになっている。装置本体１の上面部には、フロント側に位置して横方向に並列に第１乃至第３の集積部としての排出部３ａ〜３ｃが配設されている。これら第１乃至第３の排出部３ａ〜３ｃには、金種別に紙幣が区分排出されて集積される。第１の排出部３ａには、例えば、千円紙幣、第２の排出部３ｂには一万円紙幣、第３の排出部３ｃにはリジェクト紙幣が排出される。
【００１２】
装置本体１の上面部には、排出部３ａ〜３ｃの後方に位置して操作部４及び表示部５が設けられている。操作部４は、例えば、計数分類処理モード、或いは、結束処理モードを選択的に設定できるようになっている。
【００１３】
図２は、紙幣整理機の内部構成を概略的に示すものである。
【００１４】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する識別手段としての識別部１２が設けられている。
【００１５】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１６】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１７】
集積部２６の下方部には、集積紙幣を結束部３０へ搬送する搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１８】
結束部３０は、搬送ベルト４４によって搬送されてくる集積紙幣を上下からクランプして受取るクランプ部材（図示しない）と、このクランプ部材間に挾持される紙幣Ｐに結束テープ３６を巻付けるテープ巻付け機構３３と、結束テープ３６を所定の長さに切断するカッタ３４と、結束テープ３６の重合端部を熱接着するヒータ３５等を備えている。テープ巻付け機構３３は一対の巻付けアーム４６を回動自在に備えている。
【００１９】
結束テープ３６は供給リール３７から供給ルート３８に沿って供給され、供給ルート３８の中途部には結束テープ３６に銀行の支店名、処理の日付け、通番等を印字する印字部４０が設けられている。印字部４０は印字ヘッド４１とこの印字ヘッド４１に対向するプラテンローラ４２を備えている。
【００２０】
ところで、結束部３０には、図３及び図４にも示すように、結束部３０に搬送されくる集積紙幣Ｐの上面略中央部を下方に押し下げて湾曲させるための押圧部材としての直方形状のプッシャ５１が設けられている。プッシャ５１の下面部には断面三角形状をなすように突状部５１ａが形成されている。プッシャ５１の両側方部には押さえプレート５２が所定間隔を存して平行に配設されている。押さえプレート５２は湾曲される集積紙幣Ｐの両側端部を当接させて押さえるものである。プッシャ５１と押さえプレート５２とは一体化され、移動機構としての昇降機構５５により昇降されるようになっている。上記したヒータ３５も別の昇降機構により昇降されるようになっている。
【００２１】
また、プッシャ５１の後方部には湾曲されて結束された紙幣束の後端面を押圧して押し出す押出手段としてのシュータ５３が設けられている。紙幣束の押出方向には収納部５４が設けられ、押出されて放出される紙幣束を受入れて収納するようになっている。
【００２２】
次に、上記した紙幣整理機の処理動作について説明する。
【００２３】
まず、装置本体１の載置部２に混合金種の紙幣Ｐを積層状態で投入載置し、操作部４によって、計数分類処理モード或いは、結束処理モードを設定する。
【００２４】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２５】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により、第１の排出ローラ対２０ａに送られ、この第１の排出ローラ対２０ａの回転により、第１の排出部３ａに排出される。識別された紙幣が例えば万円券である場合には、第２の振分ゲート１８の動作により、第２の排出ローラ対２０ｂに送られ、この第２の排出ローラ対２０ｂの回転により、第２の排出部３ｂに排出される。識別された紙幣が例えば２枚重なり紙幣、連鎖紙幣、偽紙幣等の識別不能紙幣、分類金種紙幣以外の金種紙幣である場合には、第３の排出ローラ対２０ｃに送られ、この第３の排出ローラ対２０ｃの回転により、第３の排出部３ｃに排出される。
【００２６】
一方、操作部４によって結束処理モードが設定されていた場合には、予め結束する紙幣の金種を指定しておくと、指定金種の紙幣は切替ゲート１３を介して第３の搬送経路１５へ送られて表裏反転機構２２に搬送される。この表裏反転機構２２に送られた紙幣は一方の面に揃えられたのち第４の搬送経路２４を介して集積部２６に送り込まれる。
【００２７】
このとき、指定された金種以外の紙幣は計数分類処理モード時と同様に第１乃至第３の排出部３ａ〜３ｃに排出される。
【００２８】
集積部２６に所定枚数（例えば１００枚）の紙幣が集積されると、集積部２６から搬送ベルト４４上に移載される。この移載された集積紙幣は搬送ベルト４４の走行により図５に示すように結束部３０に搬送され図示しない挾持片により挾持される。
【００２９】
また、このときには、供給リール３７から結束テープ３６が供給されており、この結束テープ３６の表面には印字部４０により銀行の支店名、処理の日付け、通番等が印字されている。この結束テープ３６は所定長さ送り出されると、カッタ３４により切断される。この切断後、図６に示すように、プッシャ５１が矢印方向に下降され、集積紙幣Ｐの略中央部を押し下げて湾曲させる。この湾曲後、左側の巻付けアーム４６が時計方向に回動されて結束テープ３６の一端側を折り曲げて集積紙幣Ｐの上面部側に巻付け、ついで、右側の巻付けアーム４６が反時計方向に回動されて結束テープ３６の他端側を折り曲げて一端側に重ね合わせる。この重ね合わせ後、図７に示すように加熱ヒータ３５が下降されて結束テープ３６の重合部に押し付けられて加熱し、結束テープ３６をヒートシールして紙幣束Ｓとする。
【００３０】
このヒートシール後、図８に示すように、加熱ヒータ３５を上方へ退避させるとともに、プッシャ５１を反押圧方向、即ち、上方へ若干の距離移動させて押付力を弱める。これにより、紙幣束Ｓの湾曲状態が少し元の状態に戻され、この戻り分だけ、結束テープ３６に張りが持たされ、結束力が高められる。このように結束力が高められたのち、紙幣束Ｓは図９に示すようにその後端面がシュータ５３，５３により押されてプッシャ５１から押出されると、図１０に示すように、その戻り力により完全に元の状態に復帰されて収納部５４に放出されて収納される。
【００３１】
上記したように、この実施の形態によれば、シュータ５３，５３による紙幣束Ｓの押出時には、プッシャ５１を反押付方向に若干移動させて紙幣束Ｓの押付を弱めるため、紙幣束Ｓはその湾曲状態を少し元の状態に戻して結束テープ３６に張りを持たせて結束力を増大させる。
【００３２】
従って、紙幣束Ｓのプッシャ５１からの押出時に、紙幣束Ｓが衝撃や振動を受けても、荷崩れを起こすことがなく、良好な状態で収納部５４内に放出させて収納することができる。
【００３３】
また、紙幣束Ｓのプッシャ５１からの押出時には、プッシャ５１の押付力を弱めるため、シュータ５３による押出時の抵抗を低減でき、スムーズな押出し可能となる。
【００３４】
なお、本発明は、上記一実施の形態に限られることなく、その要旨の範囲内で種々変形実施可能なことは勿論である。
【図面の簡単な説明】
【００３５】
【図１】本発明の一実施の形態である紙葉類処理装置を示す外観斜視図。
【図２】同紙葉類処理装置の内部構成を示す図。
【図３】同紙葉類処理装置の結束部を示す図。
【図４】同結束部のプッシャ及びシュータを示す斜視図。
【図５】同結束部の結束動作を示す図。
【図６】同結束部の結束動作を示す図。
【図７】同結束部の結束動作を示す図。
【図８】同結束部の結束動作を示す図。
【図９】同結束部で結束された紙幣束の放出動作を示す図。
【図１０】同結束部から放出された紙幣束を示す図。
【符号の説明】
【００３６】
Ｐ…集積紙葉類、３０…結束部（結束手段）、３６…結束テープ（結束材）、４６…巻き付けアーム（結束手段）、５１…プッシャ（押圧部材／湾曲手段）、５３…シュータ（押出手段）、５４…収納部、５５…昇降機構（移動手段）。
【図１】
2005346155.tif 000003
【図２】
2005346155.tif 000004
【図３】
2005346155.tif 000005
【図４】
2005346155.tif 000006
【図５】
2005346155.tif 000007
【図６】
2005346155.tif 000008
【図７】
2005346155.tif 000009
【図８】
2005346155.tif 000010
【図９】
2005346155.tif 000011
【図１０】
2005346155.tif 000012